【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
出力端子を備える電池モジュールを複数配列してなる電池モジュール群と、
前記出力端子に固定され前記電池モジュール同士を電気的に接続するための複数の導電性のバスバと、
前記バスバを保持する絶縁性材から形成されたバスバ保持プレートと、
前記バスバ保持プレートに接続するとともに、前記バスバ保持プレートの両面のうち前記電池モジュール群とは反対側のバスバ保持面側に配置された、複数の絶縁性のカバー部材とを備え、
前記絶縁性のカバー部材はそれぞれ前記バスバごとに配置され、対応する前記バスバを被覆状態と露出状態とに変更可能である組電池。
【請求項２】
前記カバー部材は、対応する前記バスバを前記出力端子に固定するときには、対応する前記バスバを露出状態とし、対応する前記バスバ以外の他の前記バスバを前記出力端子に固定するときには、対応する前記バスバを被覆状態としていることを特徴とする請求項１に記載の組電池。
【請求項３】
前記カバー部材は、前記バスバ保持プレートの前記バスバ保持面に対してヒンジ部を介して回動自在に接続され、前記バスバ保持面に向かう方向に回動することにより対応する前記バスバを被覆状態とし、前記バスバ保持面から離反する方向に回動することにより対応する前記バスバを露出状態とすることを特徴とする請求項１または請求項２に記載の組電池。
【請求項４】
少なくとも互いに隣り合う前記カバー部材のうち、一方のカバー部材が対応する前記バスバを露出状態としているときに、他方のカバー部材を対応するバスバを被覆状態とするように規制する規制手段を有することを特徴とする請求項１〜請求項３のいずれか１項に記載の組電池。
【請求項５】
前記カバー部材は、対応する前記バスバの露出状態を保持する保持部材をさらに有していることを特徴とする請求項１〜請求項４のいずれか１項に記載の組電池。
【請求項６】
前記カバー部材は、前記バスバ保持プレートの前記バスバ保持面に対してヒンジ部を介して回動自在に接続され、前記バスバ保持面に向かう方向に回動することにより対応する前記バスバを被覆状態とし、前記バスバ保持面から離反する方向に回動することにより対応する前記バスバを露出状態とし、
隣り合う前記カバー部材のうちの少なくとも一方の前記カバー部材における前記ヒンジ部が、隣り合う前記バスバの間に配置され、
これによって、隣り合う前記カバー部材は、隣り合う前記バスバをともに露出状態に変更できない構造を備え、隣り合う前記バスバ同士の短絡に対して障壁となる障壁部を形成することを特徴とする請求項１〜請求項５のいずれか１項に記載の組電池。
【請求項７】
前記カバー部材は、前記バスバ保持プレートの前記バスバ保持面に対してヒンジ部を介して回動自在に接続され、前記バスバ保持面に向かう方向に回動することにより対応する前記バスバを被覆状態とし、前記バスバ保持面から離反する方向に回動することにより対応する前記バスバを露出状態とし、
隣り合う前記カバー部材および隣り合う前記バスバは、上下に隣り合って配置され、
上下に隣り合う前記カバー部材のうちの少なくとも一方の前記カバー部材における前記ヒンジ部は、対応する前記バスバよりも上方の位置に配置され、前記カバー部材がその自重によってバスバ保持面に向かう方向に回動することを許容し、
これによって、隣り合う前記カバー部材は、隣り合う前記バスバをともに露出状態に変更できない構造を備え、隣り合う前記バスバ同士の短絡に対して障壁となる障壁部を形成することを特徴とする請求項１〜請求項５のいずれか１項に記載の組電池。
【請求項８】
前記カバー部材は、前記バスバ保持プレートの前記バスバ保持面に対してヒンジ部を介して回動自在に接続され、前記バスバ保持面に向かう方向に回動することにより対応する前記バスバを被覆状態とし、前記バスバ保持面から離反する方向に回動することにより対応する前記バスバを露出状態とし、
隣り合う前記カバー部材および隣り合う前記バスバは、上下に隣り合って配置され、
上下に隣り合う前記カバー部材のそれぞれの前記ヒンジ部が、上下に隣り合う前記バスバの間に配置され、
上下に隣り合う前記カバー部材はさらに、
対応するバスバを露出状態とした上下いずれか一方のカバー部材を、対応するバスバを被覆状態とした他方のカバー部材と接続する接続部材と、
上側の前記カバー部材を前記バスバ保持面に止め付けておくためのロック部材と、を有し
前記ロック部材は、上側の前記カバー部材を前記バスバ保持面に止め付けているときには、前記接続部材を介して接続された上下の前記カバー部材を、それらの自重に抗して回動させず、
前記ヒンジ部は、上側の前記カバー部材を前記バスバ保持面に止め付けていないときには、前記接続部材を介して接続された上下の前記カバー部材が、それらの自重によって下側の前記カバー部材がバスバ保持面に向かう方向に回動することを許容し、
これによって、隣り合う前記カバー部材は、隣り合う前記バスバをともに露出状態に変更できない構造を備え、隣り合う前記バスバ同士の短絡に対して障壁となる障壁部を形成することを特徴とする請求項１〜請求項５のいずれか１項に記載の組電池。
【請求項９】
複数の電池を電気的に接続するための複数の導電性のバスバをバスバ保持面に保持する、絶縁性材から形成されたバスバ保持プレートであって、
該バスバ保持プレートには、
絶縁性のカバー部材が複数接続され、各カバー部材は各バスバに対応して設けられるとともに、対応するバスバを個別に被覆状態と露出状態とに変更可能であることを特徴とするバスバ保持プレート。
【請求項１０】
前記カバー部材は、対応する前記バスバを前記出力端子に固定するときには、対応する前記バスバを露出状態とし、対応する前記バスバ以外の他の前記バスバを前記出力端子に固定するときには、対応する前記バスバを被覆状態としていることを特徴とする請求項９に記載のバスバ保持プレート。
【請求項１１】
前記カバー部材は、前記バスバ保持面に対してヒンジ部を介して回動自在に接続され、前記バスバ保持面に向かう方向に回動することにより対応する前記バスバを被覆状態とし、前記バスバ保持面から離反する方向に回動することにより対応する前記バスバを露出状態とすることを特徴とする請求項９または請求項１０に記載のバスバ保持プレート。
【請求項１２】
出力端子を備える電池モジュールを複数配列してなる電池モジュール群と、
前記出力端子に固定され前記電池モジュール同士を電気的に接続するための複数の導電性のバスバと、
前記バスバを保持する絶縁性材から形成されたバスバ保持プレートと、
前記バスバ保持プレートの両面のうち前記電池モジュール群とは反対側のバスバ保持面側に複数接続され、前記バスバごとに配置されて、対応する前記バスバを被覆状態と露出状態とに変更可能な絶縁性のカバー部材と、を有してなる組電池の製造方法であって、
前記複数のバスバのうちの１のバスバを前記出力端子に固定する際には、前記１の導電性バスバに対応するカバー部材を、前記１の導電性バスバを露出状態となるようにするとともに、前記複数のバスバのうちの１のバスバ以外の全ての他のバスバに対応するカバー部材を、対応するバスバを被覆状態となるようにすることを特徴とする組電池の製造方法。
【手続補正２】
【補正対象書類名】明細書
【補正対象項目名】発明の名称
【補正方法】変更
【補正の内容】
【発明の名称】組電池、バスバ保持プレート、および組電池の製造方法
【手続補正３】
【補正対象書類名】明細書
【補正対象項目名】０００１
【補正方法】変更
【補正の内容】
【０００１】
本発明は、組電池、バスバ保持プレート、および組電池の製造方法に関するものである。
【手続補正４】
【補正対象書類名】明細書
【補正対象項目名】０００９
【補正方法】変更
【補正の内容】
【０００９】
そこで、本発明の目的は、バスバの固定作業時における電池モジュール同士の短絡の発生を防止し、バスバの固定作業性の向上、ひいては組電池の組み立て作業性の向上を図り得る組電池を提供することにある。さらに、バスバの固定作業性の向上、ひいては組電池の組み立て作業性の向上を図り得るバスバ保持プレート、および組電池の製造方法を提供することも本発明の目的である。
【手続補正５】
【補正対象書類名】明細書
【補正対象項目名】００１０
【補正方法】変更
【補正の内容】
【００１０】
上記目的を達成するための組電池は、出力端子を備える電池モジュールを複数配列してなる電池モジュール群と、
前記出力端子に固定され前記電池モジュール同士を電気的に接続するための複数の導電性のバスバと、
前記バスバを保持する絶縁性材から形成されたバスバ保持プレートと、
前記バスバ保持プレートに接続するとともに、前記バスバ保持プレートの両面のうち前記電池モジュール群とは反対側のバスバ保持面側に配置された、複数の絶縁性のカバー部材とを備える。前記絶縁性のカバー部材はそれぞれ前記バスバごとに配置され、対応する前記バスバを被覆状態と露出状態とに変更可能である。
また、上記目的を達成するためのバスバ保持プレートは、複数の電池を電気的に接続するための複数の導電性のバスバをバスバ保持面に保持する、絶縁性材から形成されたバスバ保持プレートである。該バスバ保持プレートには、絶縁性のカバー部材が複数接続され、各カバー部材は各バスバに対応して設けられるとともに、対応するバスバを個別に被覆状態と露出状態とに変更可能である。
また、上記目的を達成するための組電池の製造方法は、出力端子を備える電池モジュールを複数配列してなる電池モジュール群と、
前記出力端子に固定され前記電池モジュール同士を電気的に接続するための複数の導電性のバスバと、
前記バスバを保持する絶縁性材から形成されたバスバ保持プレートと、
前記バスバ保持プレートの両面のうち前記電池モジュール群とは反対側のバスバ保持面側に複数接続され、前記バスバごとに配置されて、対応する前記バスバを被覆状態と露出状態とに変更可能な絶縁性のカバー部材と、を有してなる組電池を製造する方法である。そして、前記複数のバスバのうちの１のバスバを前記出力端子に固定する際には、前記１の導電性バスバに対応するカバー部材を、前記１の導電性バスバを露出状態となるようにするとともに、前記複数のバスバのうちの１のバスバ以外の全ての他のバスバに対応するカバー部材を、対応するバスバを被覆状態となるようにする。
【手続補正６】
【補正対象書類名】明細書
【補正対象項目名】００１１
【補正方法】変更
【補正の内容】
【００１１】
本発明の組電池によれば、バスバ保持プレートに接続するとともにバスバ保持面側に配置された複数の絶縁性のカバー部材とを備え、絶縁性のカバー部材はそれぞれバスバごとに配置され、対応するバスバを被覆状態と露出状態とに変更可能であるので、バスバのそれぞれを別個に被覆状態と露出状態とに変更することができ、バスバの固定作業時における電池モジュール同士の短絡の発生を防止し、バスバの固定作業性の向上、ひいては組電池の組み立て作業性の向上を図ることができる。また、組電池を組み立てた後においては、カバー部材によってバスバを被覆状態にして、電池モジュール同士の短絡の発生や、強電部への接触などを防止することができる。
また、本発明のバスバ保持プレートによれば、絶縁性のカバー部材が複数接続され、各カバー部材は各バスバに対応して設けられるとともに、対応するバスバを個別に被覆状態と露出状態とに変更可能であるので、バスバのそれぞれを別個に被覆状態と露出状態とに変更することができ、バスバの固定作業時における電池モジュール同士の短絡の発生を防止し、バスバの固定作業性の向上、ひいては組電池の組み立て作業性の向上を図ることができる。
本発明の組電池の製造方法によれば、複数のバスバのうちの１のバスバを出力端子に固定する際には、１の導電性バスバに対応するカバー部材を、１の導電性バスバを露出状態となるようにするとともに、複数のバスバのうちの１のバスバ以外の全ての他のバスバに対応するカバー部材を、対応するバスバを被覆状態となるようにしているので、バスバのそれぞれを別個に被覆状態と露出状態とに変更することによって、バスバの固定作業時における電池モジュール同士の短絡の発生を防止し、バスバの固定作業性の向上、ひいては組電池の組み立て作業性の向上を図ることができる。
【手続補正７】
【補正対象書類名】明細書
【補正対象項目名】００１２
【補正方法】変更
【補正の内容】
【００１２】
【図１】図１（Ａ）は、第１の実施形態に係る組電池の一例を前面側から見て示す斜視図、図１（Ｂ）は、同組電池を背面側から見て示す斜視図である。
【図２】図１（Ａ）の２−２線に沿う断面図である。
【図３】バスバ保持プレートが組みつけられた電池モジュール群を、バスバ保持プレートに配置したカバー部材によってバスバを被覆状態に変更した状態で示す斜視図である。
【図４】組電池を組み立てる際の単位ユニットである電池モジュールの一例を示す斜視図である。
【図５】図４に示される電池モジュールを上下反転し、さらに分解して示す斜視図である。
【図６】薄型電池の一例を示す斜視図である。
【図７】第１の実施形態のバスバ保持プレートおよびカバー部材を示す斜視図である。
【図８】図８（Ａ）は、図７の要部を示す斜視図、図８（Ｂ）は、バスバ保持プレートに保持したバスバを電池モジュールの出力端子に締結した状態を示す斜視図である。
【図９】第２の実施形態のバスバ保持プレートおよびカバー部材を示す斜視図である。
【図１０】第３の実施形態のバスバ保持プレートおよびカバー部材を示す斜視図である。
【図１１】図１１（Ａ）（Ｂ）は、第４の実施形態における保持部材を示す平面図である。
【図１２】図１２（Ａ）（Ｂ）は、第５の実施形態における保持部材を示す平面図および正面図である。
【図１３】図１３（Ａ）（Ｂ）は、第６の実施形態の組電池の要部を示す斜視図および側面図である。
【図１４】図１４（Ａ）（Ｂ）は、第７の実施形態の組電池の要部を示す斜視図および側面図である。
【図１５】第８の実施形態の組電池の要部を示す側面図である。
【手続補正８】
【補正対象書類名】明細書
【補正対象項目名】００１４
【補正方法】変更
【補正の内容】
【００１４】
（第１の実施形態）
図１（Ａ）は、第１の実施形態に係る組電池１０の一例を前面側から見て示す斜視図、図１（Ｂ）は、同組電池１０を背面側から見て示す斜視図、図２は、図１（Ａ）の２−２線に沿う断面図である。図３は、バスバ保持プレート２０が組みつけられた電池モジュール群５０ａを、バスバ保持プレート２０に配置したカバー部材３０によってバスバ４０を被覆状態に変更した状態で示す斜視図、図４は、組電池１０を組み立てる際の単位ユニットである電池モジュール５０の一例を示す斜視図、図５は、図４に示される電池モジュール５０を上下反転し、さらに分解して示す斜視図、図６は、薄型電池１００の一例を示す斜視図である。図７は、第１の実施形態のバスバ保持プレート２０およびカバー部材３０を示す斜視図、図８（Ａ）は、図７の要部を示す斜視図、図８（Ｂ）は、バスバ
保持プレート２０に保持したバスバ４０を電池モジュール５０の出力端子１４０、１５０に締結した状態を示す斜視図である。なお、図２において左側に位置する面を各部材における前面、右側に位置する面を各部材における背面とする。